(57)【要約】【課題】直径の異なる複数種類の光ディスクに対応可能であって、いずれの種類の光ディスクでも挿入ミスが発生し難い光ディスク装置を提供する。【解決手段】光ディスク装置は、光ディスクの装置内への挿入に伴って光ディスクとともにスライド移動しながら光ディスクの移動を案内するディスクガイド部１２２を備える。ディスクガイド部１２２には、光ディスクに当接して該光ディスクの挿入方向の移動量を規制する規制部１２２ｆ、１２２ｇが、光ディスクの直径に応じて変更されるように複数種類設けられている。【選択図】図６
2013041650.tif 000002
【特許請求の範囲】
【請求項１】
光ディスクの装置内への挿入に伴って光ディスクとともにスライド移動しながら光ディスクの移動を案内するディスクガイド部を備える光ディスク装置であって、
前記ディスクガイド部には、光ディスクに当接して該光ディスクの挿入方向の移動量を規制する規制部が、光ディスクの直径に応じて変更されるように複数種類設けられている、光ディスク装置。
【請求項２】
前記ディスクガイド部は、挿入方向への移動量が光ディスクの直径に応じて変更される、請求項１に記載の光ディスク装置。
【請求項３】
複数種類の前記規制部は、大径の光ディスクの挿入方向の移動量を規制する第１の規制部と、小径の光ディスクの挿入方向の移動量を規制する第２の規制部と、を含む、請求項１又は２に記載の光ディスク装置。
【請求項４】
第１のシャーシと、
前記第１のシャーシの開口を覆うように設けられる第２のシャーシと、を更に備え、
前記第１のシャーシには、駆動部によって回転可能であるとともに前記光ディスクが載置される載置部が設けられ、
前記第２のシャーシには、前記ディスクガイド部と、前記載置部とともに前記光ディスクを挟持する保持部と、が設けられている、請求項１から３のいずれかに記載の光ディスク装置。
【請求項５】
前記第２のシャーシには、回動可能であるとともに前記ディスクガイド部及び前記保持部が取り付けられる可動部が設けられ、
前記可動部の回動を利用して、前記載置部と前記保持部とによる前記光ディスクの挟持が達成される、請求項４に記載の光ディスク装置。
【請求項６】
前記ディスクガイド部には、前記第１のシャーシに配置される光ピックアップと前記光ディスクとの接触を防止する接触防止部が設けられる、請求項５に記載の光ディスク装置。
【請求項７】
前記ディスクガイド部は、板状の本体部と、前記本体部の板面から突出して前記規制部となる複数のボス部と、を有する、請求項１から６のいずれかに記載の光ディスク装置。 
【発明の詳細な説明】
【技術分野】
【０００１】
本発明は、光ディスクに記録される情報の再生を行う際、及び／又は、光ディスクに情報を記録する際に使用される光ディスク装置に関する。
【背景技術】
【０００２】
従来、ブルーレイディスク（以下ＢＤと記載）、デジタル多用途ディスク（以下ＤＶＤと記載）、コンパクトディスク（以下ＣＤと記載）等の光ディスクに記録される情報を再生したり、これらの光ディスクに情報を記録したりするために光ディスク装置が使用される。このような光ディスク装置の中には、いわゆるスロットインタイプと呼ばれる光ディスク装置がある。スロットインタイプの光ディスク装置では、光ディスクは、ディスクトレイ（装置内に出し入れ可能に設けられる）に載置されることなく、直接装置内に挿入される。
【０００３】
従来、光ディスク装置は、大径（例えば直径１２ｃｍ）及び小径（例えば直径８ｃｍ）の光ディスクに対応するのが一般的であり、この点は、上記スロットインタイプの光ディスク装置も例外でない（例えば特許文献１や２参照）。
【先行技術文献】
【特許文献】
【０００４】
【特許文献１】特開２０００−２９８９０４号公報
【特許文献２】特開平３−２９６９６２号公報
【発明の概要】
【発明が解決しようとする課題】
【０００５】
ところで、本出願人は、光ディスクを搬送する搬送ローラと、光ディスクの搬送方向に光ディスクとともにスライド移動しながら光ディスクを所定の位置に案内するディスクガイド部と、を含むディスク搬送機構を備えた光ディスク装置（スロットインタイプの光ディスク装置）の開発を行っている。なお、上記ディスクガイド部を含むディスク搬送機構は、特許文献１や２には開示されない構成である。
【０００６】
上記ディスクガイド部を含むディスク搬送機構を備える光ディスク装置の開発を進める中で、大径の光ディスクに対応する場合と、小径の光ディスクに対応する場合との両方で、チャッキングの成功率を上げることが望まれた。なお、ここでいうチャッキングとは、光ディスク装置内に挿入された光ディスクの中心が、光ディスクを回転するモータの回転軸と軸合わせされた状態で保持される状態を指している。
【０００７】
そこで、本発明の目的は、直径の異なる複数種類の光ディスクに対応可能であって、いずれの種類の光ディスクでも挿入ミスが発生し難い光ディスク装置を提供することである。なお、本発明は、いわゆるスロットインタイプの光ディスク装置に好適な技術を提供するものである。
【課題を解決するための手段】
【０００８】
上記目的を達成するために本発明の光ディスク装置は、光ディスクの装置内への挿入に伴って光ディスクとともにスライド移動しながら光ディスクの移動を案内するディスクガイド部を備える光ディスク装置であって、前記ディスクガイド部には、光ディスクに当接して該光ディスクの挿入方向の移動量を規制する規制部が、光ディスクの直径に応じて変更されるように複数種類設けられている構成（第１の構成）とされる。
【０００９】
本構成では、光ディスクの挿入方向の移動量を規制する規制部が、光ディスクの直径に応じて適宜変更されるように複数種類設けられている。このため、光ディスク装置に、いずれの直径の光ディスクが入れられる場合にも、光ディスクを所定の位置に正確に案内してチャッキングの成功率を高くできる。したがって、本構成の光ディスク装置は、ユーザにとって使い勝手が良い。
【００１０】
上記第１の構成の光ディスク装置において、前記ディスクガイド部は、挿入方向への移動量が光ディスクの直径に応じて変更される構成（第２の構成）であるのが好ましい。本構成は、いわゆるスロットインタイプの光ディスク装置に好適な構成である。
【００１１】
上記第１又は第２の構成の光ディスク装置において、複数種類の前記規制部は、大径の光ディスクの挿入方向の移動量を規制する第１の規制部と、小径の光ディスクの挿入方向の移動量を規制する第２の規制部と、を含む構成（第３の構成）であるのが好ましい。本構成は、例えば直径１２ｃｍの光ディスク（大径の光ディスクの一例）と直径８ｃｍの光ディスク（小径の光ディスクの一例）との両方に適用可能な光ディスク装置に好適な構成である。
【００１２】
上記第１から第３のいずれかの構成の光ディスク装置において、第１のシャーシと、前記第１のシャーシの開口を覆うように設けられる第２のシャーシと、を更に備え、前記第１のシャーシには、駆動部によって回転可能であるとともに前記光ディスクが載置される載置部が設けられ、前記第２のシャーシには、前記ディスクガイド部と、前記載置部とともに前記光ディスクを挟持する保持部と、が設けられている構成（第４の構成）が採用されても構わない。本構成は、いわゆるスロットインタイプの光ディスク装置に好適な構成である。
【００１３】
上記第４の構成の光ディスク装置において、前記第２のシャーシには、回動可能であるとともに前記ディスクガイド部及び前記保持部が取り付けられる可動部が設けられ、前記可動部の回動を利用して、前記載置部と前記保持部とによる前記光ディスクの挟持が達成される構成（第５の構成）が採用されてもよい。
【００１４】
上記第５の構成の光ディスク装置において、前記ディスクガイド部には、前記第１のシャーシに配置される光ピックアップと前記光ディスクとの接触を防止する接触防止部が設けられる構成（第６の構成）を採用するのが好ましい。本構成によれば、光ディスク装置内に設けられる光ピックアップや、光ディスクが損傷する可能性を低減できる。
【００１５】
上記第１から第６のいずれかの構成の光ディスク装置において、前記ディスクガイド部は、板状の本体部と、前記本体部の板面から突出して前記規制部となる複数のボス部と、を有する構成としてもよい。本構成によれば、いずれの直径の光ディスクに対してもチャッキングミスが生じ難く、光ディスクを所定の位置に案内し易い構成を実現し易い。
【発明の効果】
【００１６】
本発明によれば、直径の異なる複数種類の光ディスクに対応可能であって、いずれの種類の光ディスクにおいても挿入ミスが発生し難い光ディスク装置を提供可能である。本発明は、いわゆるスロットインタイプの光ディスク装置に好適な技術を提供できる。
【図面の簡単な説明】
【００１７】
【図１】本発明の光ディスク装置が適用される光ディスクプレーヤ（或いは光ディスクレコーダ）の一例を示す概略斜視図
【図２】本実施形態の光ディスク装置の構成を示す概略正面図
【図３】本実施形態の光ディスク装置を構成する下シャーシの概略上面図
【図４】本実施形態の光ディスク装置を構成する上シャーシの概略上面図
【図５】本実施形態の光ディスク装置を構成する上シャーシを裏面側から見た場合の概略平面図
【図６】本実施形態の光ディスク装置が備えるディスクガイドの構成を説明するための概略図
【図７】本実施形態の光ディスク装置の動作を説明するための図で、光ディスク装置の概略上面図
【図８】本実施形態の光ディスク装置が備える駆動機構に含まれるスライド部の構成及び作用を説明するための図
【図９】大径の光ディスクとディスクガイドとの関係を示す概略平面図
【図１０】小径の光ディスクとディスクガイドとの関係を示す概略平面図
【発明を実施するための形態】
【００１８】
以下、本発明の光ディスク装置の実施形態について、図面を参照しながら説明する。なお、本発明の光ディスク装置は、例えばＢＤプレーヤやＤＶＤプレーヤ等の光ディスクプレーヤ、ＢＤレコーダやＤＶＤレコーダ等の光ディスクレコーダ等に適用可能である。ここで言う光ディスクプレーヤや光ディスクレコーダは、家庭に配置される据え置き型のものに限らず、例えば携帯用や車載用のもの等も含む趣旨であり、また、例えばテレビジョン受像機やパーソナルコンピュータ等に一体的に取り付けられるものも含む趣旨である。
【００１９】
（光ディスク装置の構成）
図１は、本発明の光ディスク装置が適用される光ディスクプレーヤ（或いは光ディスクレコーダ）の一例を示す概略斜視図である。図１に示すように、光ディスクプレーヤの筐体ＣＡ内部に、本発明の実施形態に係る光ディスク装置１が内蔵される。筐体ＣＡの正面パネルＦＰには開口ＯＰが形成され、この開口ＯＰを介して光ディスク装置１内に光ディスクＤを挿入することが可能になっている。
【００２０】
図２は、本実施形態の光ディスク装置１の構成を示す概略正面図である。図２に示すように、光ディスク装置１は下シャーシ１１と上シャーシ１２とからなる。特に材質を限定する趣旨ではないが、下シャーシ１１は例えば樹脂によって形成され、上シャーシ１２は例えば板金によって形成される。上シャーシ１２は、下シャーシ１１の上面開口を覆うように配置され、例えばビス（不図示）を用いて下シャーシ１１に固定される。下シャーシ１１と上シャーシ１２とからなる光ディスク装置１の正面側となる側面には、光ディスクＤを挿入するための開口１０が形成される。
【００２１】
なお、下シャーシ１１は本発明の第１のシャーシの一例であり、上シャーシ１２は本発明の第２のシャーシの一例である。
【００２２】
図３は、本実施形態の光ディスク装置１を構成する下シャーシ１１の概略上面図である。図３に示すように、箱形に形成される下シャーシ１１の内部には、モータ１１１と、搬送ローラ１１２と、ターンテーブル１１３と、光ピックアップ１１４と、が備えられる。モータ１１１は、詳細な図示は省略する複数の歯車を介して搬送ローラ１１２を駆動する。また、モータ１１１は、上シャーシ１２の可動部（詳細は後述する可動プレートが該当）の回動を可能とする駆動機構１１５を駆動するためにも用いられる。駆動機構１１５にはラックや歯車が含まれる。
【００２３】
搬送ローラ１１２は、光ディスク装置１の正面（開口１０が設けられる面）寄りに設けられ、光ディスクＤが装置内に挿入される場合、及び、光ディスクＤが装置外に排出される場合に駆動される。搬送ローラ１１２の駆動による光ディスクＤの搬送方向は、図３の矢印Ｃ方向（図３の上下方向）である。ターンテーブル１１３は、テーブルの下部側に配置されるモータ（不図示）によって回転されるようになっている。ターンテーブル１１３は、光ディスク装置１内に挿入された光ディスクＤの載置部として機能し、ターンテーブル１１３の回転とともに光ディスクＤを回転することができる。なお、ターンテーブル１１３は、本発明の載置部の一例である。
【００２４】
光ピックアップ１１４は、光ディスクＤの搬送方向（矢印Ｃ方向）と平行な方向に延びる２本のガイドシャフト１１６に摺動可能に支持される。光ピックアップ１１４のガイドシャフト１１６に沿った移動は、図示しないモータとリードスクリュとを用いて行われる。光ピックアップ１１４は、光ディスクＤに光を照射するとともに、光ディスクＤからの反射光を受光する。光ピックアップ１１４は、光ディスクＤに記録される情報の読み取りや、光ディスクへの情報の書き込みを行うために使用される。
【００２５】
なお、本実施形態の光ディスク装置１では、ターンテーブル１１３や光ピックアップ１１４は板金製の基台１１７に搭載され、この基台１１７が下シャーシ１１に取り付けられる構成となっている。また、下シャーシ１１（又は基台１１７）には、図示は省略するが、光ディスク装置１を動作させる上で必要となる各種の基板や配線が配置される。
【００２６】
図４は、本実施形態の光ディスク装置１を構成する上シャーシ１２の概略上面図である。また、図５は、本実施形態の光ディスク装置１を構成する上シャーシ１２を裏面（下）側から見た場合の概略平面図である。なお、図４においては、位置関係の理解を容易とするために、破線で搬送ローラ１１２が示されている。
【００２７】
図４及び図５に示すように、上シャーシ１２には広範囲に亘って開口１２ａが形成されている。この開口１２ａと重なるように、板金製の可動プレート１２１（本発明の可動部の一例）が配置されている。可動プレート１２１は、回転軸Ａ１（図５参照）を中心として上シャーシ１２本体部に対して回動可能になっている。可動プレート１２１には、一端が上シャーシ１２本体部に取り付けられるコイルバネの他端が取り付けられている。このために、可動プレート１２１は、上シャーシ１２本体部に向けて引っ張り上げられた状態になっている。可動プレート１２１の前面寄り（光ディスク装置１の正面寄り、図４及び図５の下側）には、ターンテーブル１１３とともに光ディスクＤを挟持するクランパ１２５（本発明の保持部の一例）が取り付けられている。
【００２８】
図５に示すように、可動プレート１２１の裏面側には、光ディスクＤの搬送方向（矢印Ｃ方向）に沿ってスライド可能な樹脂製のディスクガイド１２２（本発明のディスクガイド部の一例）が取り付けられている。ここで、図６を参照しながら、ディスクガイド１２２の構成について説明する。なお、図６（ａ）はディスクガイド１２２の上面図、図６（ｂ）はディスクガイド１２２の下面図、図６（ｃ）はディスクガイド１２２の正面図である。なお、図６（ｂ）は、図５と同じ方向から見た図に相当する。
【００２９】
図６に示すように、ディスクガイド１２２は板状の本体部１２２ａを有する。本体部１２２ａの上面、短手方向の一端寄り（図６（ａ）の下側寄り）の中央部には、レール状の突出部１２２ｂが形成されている。レール状の突出部１２２ｂは、本体部１２２ａの短手方向（図６（ａ）の上下方向）と平行な方向に延びている。レール状の突出部１１２ｂの一端は、本体部１２２ａから突出している（図６（ａ）の下方向に突出している）。レール状の突出部１２２ｂの上面には略円柱状の係合ボス部１２２ｃが形成されている。また、本体部１２２ａの上面には、本体部１２２ａの長手方向（図６（ａ）の左右方向）を二等分する二等分線を挟んで対称配置される、側面視略フック状（図６（ｃ）参照）の一対の係合フック部１２２ｄが形成されている。
【００３０】
本体部１２２ａの長手方向（図６（ｂ）の左右方向）の両端部には、本体部１２２ａの下面（板面）から突出するように略円柱状の第１のボス部１２２ｅが形成されている。一対の第１のボス部１２２ｅは、前記二等分線を挟んで対称配置されている。また、本体部１２２ａの下面には、長手方向の両端部よりも内側の位置に、一対の第１のボス部１２２ｅに挟まれるように、略円柱状の一対の第２のボス部１２２ｆが形成されている。一対の第２のボス部１２２ｆは、前記二等分線を挟んで対称配置されている。更に、本体部１２２ａの下面には、一対の第２のボス部１２２ｆよりも内側の位置に、一対の第２のボス部１２２ｆに挟まれるように、略円柱状の一対の第３のボス部１２２ｇが形成されている。一対の第３のボス部１２２ｇは、前記二等分線を挟んで対称配置されている。
【００３１】
なお、図６に示すように、一対の第１のボス部１２２ｅ及び一対の第２のボス部１２２ｆの先端には、突出部ＰＰが形成されており、これらのボス部１２２ｅ、１２２ｆは側面から見た場合に、略Ｌ字状に見えるようになっている。
【００３２】
図４及び図５に戻って、可動プレート１２１には、ディスクガイド１２２のレール状の突出部１２２ｂを案内する案内溝１２１ａが形成されている。なお、案内溝１２１ａは、光ディスクＤの搬送方向（矢印Ｃ方向）に延びる長孔である。また、可動プレート１２１には、案内溝１２１ａを挟むように対称に配置される、長孔形状の一対の取り付け溝１２１ｂが形成されている。この一対の取り付け溝１２１ｂには、ディスクガイド１２２の一対の係合フック部１２２ｄが摺動可能に取り付けられる。
【００３３】
可動プレート１２１の上側（表側）には、回転軸Ａ２を中心に回動可能な板金製の回動アーム１２３が設けられる。回動アーム１２３の長手方向の一端寄りには、可動プレート１２１に摺動可能に取り付けられるディスクガイド１２２の係合ボス部１２２ｃと係合する係合孔１２３ａが形成されている。係合孔１２３ａは、回動アーム１２３の回動によって係合ボス部１２２ｃが回動アーム１２３に対して揺動可能となるように、その形状が調整されている。
【００３４】
回動アーム１２３には、一端が可動プレート１２１に取り付けられるコイルバネ（不図示）の他端が取り付けられている。図４において、このコイルバネによって、回動アーム１２３には時計周り方向の回転力が加わるようになっている。ただし、回動アーム１２３の時計周り方向の回転とともにスライド移動（図４の下向きに移動）するディスクガイド１２２の先端（レール状の係合部１２２ｂの先端）が、可動プレート１２１に取り付けられる捩じりコイルバネＳＰに当接する。このために、コイルバネによる回動アーム１２３の回転は、図４の状態で維持される。なお、この図４の状態は、光ディスク装置１に光ディスクＤが挿入される前の状態に該当する。
【００３５】
回動アーム１２３の長手方向の他端には、ロックアーム１２４の長手方向の一端寄りに設けられる係合ピン１２４ａ（図４において、紙面と垂直な方向の奥側に向けて突出している）と係合する係合孔１２３ｂが形成されている。この係合孔１２３ｂは、回動アーム１２３の回動によって、ロックアーム１２４の係合ピン１２４ａが回動アーム１２３に対して揺動するように孔の形状が調整されている。また、この係合孔１２３ｂには、回動アーム１２３とロックアーム１２４との動きを連動させることが可能となるロック位置ＲＰが設けられている。このロック位置ＲＰは、係合孔１２３の両端部の合計２箇所（図４及び後述の図７参照）に設けられている。
【００３６】
板金製のロックアーム１２４は、上シャーシ１２本体部の上側（表側）に、回転軸Ａ３を中心に回動可能に設けられる。また、ロックアーム１２４は、搬送方向（図４の矢印Ｃ方向）にスライド可能に設けられる。ただし、このスライド量は、例えばロックアーム１２４の一部と上シャーシ１２の一部との当接を利用して所定量に制限されている。上述のように、ロックアーム１２４の長手方向の一端寄りには回動アーム１２３の係合孔１２３ｂと係合する係合ピン１２４ａが設けられる。そして、ロックアーム１２４の長手方向の他端寄りには、光ディスク装置１内に挿入される光ディスクＤと係合可能な係合ピン１２４ｂ（図４において、紙面と垂直な方向の奥側に向けて突出している）が設けられる。
【００３７】
なお、ロックアーム１２４には、一端が上シャーシ１２に取り付けられるコイルバネ（不図示）の他端が取り付けられている。このコイルバネの作用によって、ロックアーム１２４には、図４において反時計周り方向の回転力が加わるようになっている。ただし、この回転力による回動は、ロックアーム１２４の係合ピン１２４ｂ（他端寄りに設けられるもの）と上シャーシ１２との接触によって止められる（図４の状態が該当する）。また、ロックアーム１２４には、ロックアーム１２４の下面から突出するように折り曲げ形成された係合突起１２４ｃ（図５参照）が形成されている。この係合突起１２４ｃは、ロックアーム１２４が図４の下向きに移動した場合に、可動プレート１２１を回動させる駆動機構１１５の一部と係合し、駆動機構１１５による可動プレート１２１の回動を可能にする。
【００３８】
（光ディスク装置の動作）
次に、以上のように構成される光ディスク装置１の動作について説明する。なお、本実施形態の光ディスク装置１は、直径１２ｃｍの光ディスクＤ１（大径の光ディスク）と、直径８ｃｍの光ディスクＤ２（小径の光ディスク）との両方に対して情報の再生や記録を行えるようになっている。
【００３９】
１．大径の光ディスクが使用される場合
まず、直径１２ｃｍの光ディスクＤ１が使用される場合の動作から説明する。説明にあたって、搬送ローラ１１２によって光ディスクＤ１が搬送される方向のうち、光ディスクＤ１が装置内に挿入される方向を挿入方向と表現する（後述する小径の光ディスクＤ２の場合も同様である）。光ディスク装置１の開口１０（図２参照）から光ディスクＤ１が挿入されると、開口１０近傍に設けられるセンサ（不図示）により、光ディスクＤ１の挿入が検知される。これにより、搬送ローラ１１２が駆動を開始して、光ディスクＤ１の装置内への搬送が開始される。なお、この段階で、回動アーム１２３やロックアーム１２４は、図４の状態となっている。
【００４０】
光ディスクＤ１の装置内への搬送（挿入）に伴い、ロックアーム１２４の係合ピン１２４ｂが光ディスクＤ１に押される。これにより、ロックアーム１２４は、回転軸Ａ３を中心として時計回り方向（図４を想定した表現）に回動する。その結果、ロックアーム１２４の係合ピン１２４ａが、回動アーム１２３の係合孔１２３ｂのロック位置ＲＰから外れる。そして、この状態で、搬送ローラ１１２によって搬送される光ディスクＤ１がディスクガイド１２２に当接する状態となる。
【００４１】
ロックアーム１２４の係合ピン１２４ａがロック位置ＲＰを脱した状態では、回動アーム１２３はロックアーム１２４とは連動することなく回動する。搬送ローラ１１２による光ディスクＤ１の搬送によってディスクガイド１２２が挿入方向（図４の上向き方向）にスライド移動し、これに伴い、回動アーム１２３も回転する（図４において反時計周り方向に回転する）。回動アーム１２３が所定量回動すると、ロックアーム１２４の係合ピン１２４ａが、回動開始前と比べて反対側にあるロック位置ＲＰに至る。図７は、この状態を示す。
【００４２】
ロックアーム１２４の係合ピン１２４ａがロック位置ＲＰに存在する状態では、ディスクガイド１２２のスライド移動（搬送ローラ１１２による光ディスクＤ１の搬送に伴う移動）に伴う回動アーム１２３の回動によって、ロックアーム１２４が光ディスクＤ１の挿入方向と逆向きにスライド移動する。このスライド移動の移動量は、所定量に制限されており、このスライド移動の移動量が限界位置に到達した時点で、ディスクガイド１２２は、それ以上、挿入方向に移動できなくなる。
【００４３】
上述のように、ディスクガイド１２２には、一対の第１のボス部１２２ｅと一対の第２のボス部１２２ｆとが設けられている。装置内に搬送される光ディスクＤ１は、これらのボス部１２２ｅ、１２２ｆと適宜当接しながら所定の位置に案内される。ディスクガイド１２２の移動が止まった後、光ディスクＤ１はディスクガイド１２２の第２のボス部１２２ｆに当接した状態になる（図９参照）。この後、光ディスクＤ１は、それ以上、挿入方向への移動はできない。すなわち、ディスクガイド１２２に設けられる一対の第２のボス部１２２ｆは、光ディスクＤ１が挿入方向に移動する量を規制する規制部として機能する。なお、本実施形態では、光ディスクＤ１と第２のボス部１２２ｆとが当接した状態において、光ディスクＤ１と第３のボス部１２２ｇとは当接しないようになっている（図９参照）。
【００４４】
ところで、ロックアーム１２４が挿入方向と逆方向に移動すると、駆動機構１１５を構成する部材の一部１１５ｂとロックアーム１２４の係合突起１２４ｃ（図７参照）とが係合し（なお、図７は係合前の状態を示している）、駆動機構１１５に含まれるスライド部１１５ａ（図７参照）が挿入方向と反対向きに移動を開始するようになっている。スライド部１１５ａの移動は、モータ１１１（図３参照）によって駆動される歯車と、この歯車と噛合するラック（いずれも不図示）とを用いて実現される。
【００４５】
図８は、本実施形態の光ディスク装置１が備える駆動機構１１５に含まれるスライド部１１５ａの構成及び作用を説明するための図である。図８（ａ）に示すように、駆動機構１１５が備えるスライド部１１５ａにはカム溝１１５ｃが形成されている。カム溝１１５ｃには、光ディスクＤ１の搬送方向（図７の矢印Ｃ方向）と平行な方向に延びる第１の溝１１５ｃａと第２の溝１１５ｃｂとが含まれる。第１の溝１１５ｃａと第２の溝１１５ｃｂとは、上下方向及び左右方向（搬送方向と同方向）の位置がずれている。カム溝１１５ｃに含まれる第３の溝１１５ｃｃは、第１の溝１１５ｃａと第２の溝１１５ｃｂとを接続する傾斜した溝になっている。
【００４６】
このカム溝１１５ｃには、可動プレート１２１の側面に取り付けられる係合ピン１２１ｄ（図５参照）が係合している。図８（ａ）は、光ディスクＤ１が装置内に挿入される場合において、スライド部１１５ｃが移動を開始する前の状態である。スライド部１１５ｃが挿入方向と逆向きに移動を開始すると、図８（ｂ）に示す矢印Ｓ方向にカム溝１１５ｃも移動を開始する。このために、可動プレート１２１に取り付けられる係合ピン１２１ｄがカム溝１１５ｃに沿って移動し、可動プレート１２１は、回転軸Ａ１を中心として図８（ｂ）に示す矢印Ｒ方向に回動を開始する。
【００４７】
そして、係合ピン１２１ｄがカム溝１１５ｃを構成する第２の溝１１５ｃｂに至ると可動プレート１２１の回動は停止する（図８（ｃ）の状態）。この状態で、ターンテーブル１１３と、可動プレート１２１に取り付けられるクランパ１２５とによる光ディスクＤ１の挟持（チャッキング）が達成される。ディスクガイド１２２に設けられる第２のボス部１２２ｆによって光ディスクＤ１の挿入方向の位置決めがなされた状態でチャッキング動作が行われるために、光ディスクＤ１のチャッキングの成功確率は高い。
【００４８】
なお、このチャッキング動作によって、光ディスクＤ１とディスクガイド１２２との当接は解除される。また、チャッキング動作時に発生する衝撃で、光ディスクＤ１と光ピックアップ１１４との衝突が懸念されるが、ディスクガイド１２２が有する第２のボス部１２２ｆの先端に設けた突出部ＰＰが、光ディスクＤ１と光ピックアップ１１４との接触（衝突）を防止する。すなわち、この突出部ＰＰは本発明の接触防止部の一例に該当する。
【００４９】
この後は、モータ駆動によってターンテーブル１１３が回転されると光ディスクＤ１も回転される。そして、光ピックアップ１１４がガイドシャフト１１６に沿って適宜移動されながら、光ディスクＤ１の情報の再生や、光ディスクＤ１への情報の書き込みが行われる。光ディスクＤ１の排出は、ユーザによりリモコン等の操作によって開始されるが、その動作は、上述した光ディスクＤ１の挿入動作のほぼ反対の動作のために、ここでは、説明は省略する。
【００５０】
２．小径の光ディスクが使用される場合
次に、直径８ｃｍの光ディスクＤ２が使用される場合の動作について説明する。光ディスク装置１の開口１０（図２参照）から光ディスクＤ２が挿入されると、開口１０近傍に設けられるセンサ（不図示）により、光ディスクＤ２の挿入が検知される。これにより、搬送ローラ１１２が駆動を開始して、光ディスクＤ２の装置内への搬送が開始される。
【００５１】
直径８ｃｍの光ディスクＤ２では、その径が小さいために、光ディスクＤ２の装置内への搬送（挿入）に伴い、ロックアーム１２４の係合ピン１２４ｂが光ディスクＤ２に押された状態で、光ディスクＤ２とディスクガイド１２２とが当接することはない。このために、ロックアーム１２４の係合ピン１２４ａがロック位置ＲＰに存在したまま、光ディスクＤ２とディスクガイド１２２とが当接した状態になる。
【００５２】
ロックアーム１２４の係合ピン１２４ａがロック位置ＲＰに存在する状態では、ディスクガイド１２２のスライド移動（搬送ローラ１１２による光ディスクＤ２の搬送に伴う移動）に伴う回動アーム１２３の回動によって、ロックアーム１２４が光ディスクＤ２の挿入方向と逆向きにスライド移動する。このスライド移動の移動量は、所定量に制限されており、このスライド移動の移動量が限界位置に到達した時点で、ディスクガイド１２２は、それ以上、挿入方向に移動できなくなる。
【００５３】
上述のように、ディスクガイド１２２には、一対の第１のボス部１２２ｅ、一対の第２のボス部１２２ｆ、及び、一対の第３のボス部ｇが設けられている。装置内に搬送される光ディスクＤ２は、これらのボス部１２２ｅ、１２２ｆ、１２２ｇと適宜当接しながら所定の位置に案内される。ディスクガイド１２２の移動が止まった後、光ディスクＤ２はディスクガイド１２２の第３のボス部１２２ｇに当接した状態となる（図１０参照）。この後、光ディスクＤ２は、それ以上、挿入方向への移動できない。すなわち、ディスクガイド１２２に設けられる一対の第３のボス部１２２ｇは、光ディスクＤ２が挿入方向に移動される量を規制する規制部として機能する。なお、光ディスクＤ２と第３のボス部１２２ｇとが当接した状態において、光ディスクＤ２と第２のボス部１２２ｆとは当接しないようになっている（図１０参照）。
【００５４】
ロックアーム１２４が挿入方向と逆方向に移動すると、駆動機構１１５を構成する部材の一部１１５ｂとロックアーム１２４の係合突起１２４ｃ（図７参照）とが係合し、駆動機構１１５に含まれるスライド部１１５ａ（図７参照）が挿入方向と反対向きに移動を開始するようになっている。この後のチャッキング動作については、上述した大径の光ディスクＤ１の場合と同様であるために、その詳細説明は省略する。
【００５５】
小径の光ディスクＤ２の場合も、ディスクガイド１２２に設けられる第３のボス部１２２ｇによって光ディスクＤ１の挿入方向の位置決めがなされた状態でチャッキング動作が行われるために、光ディスクＤ２のチャッキングの成功確率は高い。また、チャッキング動作時に発生する衝撃で、光ディスクＤ２と光ピックアップ１１４との衝突が懸念されるが、ディスクガイド１２２が有する第２のボス部１２２ｆの先端に設けた突出部ＰＰが、光ディスクＤ２と光ピックアップ１１４との接触（衝突）を防止する。
【００５６】
（作用効果のまとめ）
本実施形態の光ディスク装置１では、光ディスクＤの移動を案内するディスクガイド１２２に、大径の光ディスクＤ１と当接して大径の光ディスクＤ１が挿入方向に移動される量を規制する第２のボス部１２２ｆ（本発明の第１の規制部に相当）と、小径の光ディスクＤ２と当接して小径の光ディスクＤ２が挿入方向に移動される量を規制する第３のボス部１２２ｇ（本発明の第２の規制部に相当）と、を別々に設ける構成となっている。なお、第２のボス部１２２ｆは、大径及び小径の光ディスクを所定の位置に案内する機能も有する。また、第３のボス部１２２ｇは、小径の光ディスクＤの移動を案内する機能も有する。このために、光ディスク装置１に大径の光ディスクＤ１を入れる場合と、光ディスク装置１に小径の光ディスクＤ２を入れる場合と、の両方の場合で、光ディスクＤのチャッキングの成功率を高くできる。したがって、本実施形態の光ディスク装置１は、ユーザにとって使い勝手が良い。
【００５７】
本実施形態では、第３のボス部１２２ｇは大径の光ディスクＤ１に当接しないように構成している。これは、第３のボス部１２２ｇの存在のために、大径の光ディスクＤ１の案内位置がずれて、チャッキング成功率が低下しないようにするためである。ただし、第３のボス部１１２ｇは、大径の光ディスクＤ１のチャッキング成功率が低下しないように調整されていれば、大径の光ディスクＤ１に当接してもよい。
【００５８】
（その他）
以上に示した実施形態は本発明の例示であって、本発明は以上に示した実施形態の構成に限定されるものではない。
【００５９】
例えば、以上に示した実施形態では、上シャーシ１２の一部（可動プレート１２１）が回動して、ターテーブル１１３とクランパ１２５による光ディスクＤの挟持（チャッキング）が行われる構成とした。しかし、本発明の適用範囲は、この構成に限定されるものではない。例えば、上シャーシ１２はいずれの部分も回動することなく、下シャーシ１１の一部（例えば、ターンテーブル１１３や光ピックアップ１１４が取り付けられる基台１１７）が回動することによってチャッキングが達成される構成であっても本発明は適用可能である。
【００６０】
また、以上に示した実施形態では、挿入方向の移動量を規制する第２のボス部１２２ｆ及び第３のボス部１２２ｇが、一対ずつ設けられる構成とした。この構成に限らず、それぞれの種類のボスについて、複数組のボスが設けられるようにしてもよい。また、各ボス１２２ｆ、１２２ｇが設けられる位置や形状についても適宜変更して構わない。
【００６１】
また、以上に示した実施形態では、ディスクガイド１２２の第３のボス部１２２ｇには、その先端に突出部ＰＰを設けない構成としたが、第３のボス部１２２ｇにも、第２のボス部１２２ｆ同様に、その先端に突出部を設ける構成としても構わない。また、場合によっては、第２のボス部１２２ｆの先端に設けられる突出部ＰＰは設けない構成としても構わない。
【００６２】
また、以上に示した実施形態では、光ディスク装置１が直径の異なる２種類の光ディスクに対応可能な構成とした。しかし、本発明は、光ディスク装置が直径の異なる３種類以上の光ディスクに対応可能な場合にも適用可能である。この場合には、例えば、直径の異なる光ディスクの種類の数に対応させて、光ディスクの挿入方向の移動量を規制する規制部の種類を増やすようにしてもよい。そして、この場合において、一部の規制部を直径の異なる複数種類の光ディスクで共用する構成とすることも、場合によっては可能である。
【産業上の利用可能性】
【００６３】
本発明は、ディスクトレイを使用することなく光ディスクを直接装置内に挿入する、いわゆるスロットインタイプの光ディスク装置に好適である。
【符号の説明】
【００６４】
１  光ディスク装置
１１  下シャーシ（第１のシャーシ）
１２  上シャーシ（第２のシャーシ）
１１３  ターンテーブル（載置部）
１１４  光ピックアップ
１２１  可動プレート（可動部）
１２２  ディスクガイド（ディスクガイド部）
１２２ａ  本体部
１２２ｆ  第２のボス部（第１の規制部）
１２２ｇ  第３のボス部（第２の規制部）
１２５  クランパ（保持部）
Ｄ  光ディスク
Ｄ１  大径の光ディスク
Ｄ２  小径の光ディスク
ＰＰ  突出部（接触防止部）
【図１】
2013041650.tif 000003
【図２】
2013041650.tif 000004
【図３】
2013041650.tif 000005
【図４】
2013041650.tif 000006
【図５】
2013041650.tif 000007
【図６】
2013041650.tif 000008
【図７】
2013041650.tif 000009
【図８】
2013041650.tif 000010
【図９】
2013041650.tif 000011
【図１０】
2013041650.tif 000012